(57)【要約】【課題】容器を速やかに乾燥させる用途に使用できる積層布帛を提供すること。【解決手段】基布の同一平面にフック状係合子とループ状係合子が混在して設けられた面状ファスナからなる面ファスナ層と、前記基布の前記同一平面の裏面側に機能性布帛を積層してなる、積層布帛。【選択図】図１
2020168797.tif 000002
【特許請求の範囲】
【請求項１】
基布の同一平面にフック状係合子とループ状係合子が混在して設けられた面状ファスナからなる面ファスナ層と、前記基布の前記同一平面の裏面側に積層した布帛からなる布帛層を有する、積層布帛。
【請求項２】
前記布帛が機能性布帛である、請求項１に記載の積層布帛。
【請求項３】
前記機能性布帛が、吸湿、撥水、抗菌、防カビの少なくとも何れかの機能を有する、請求項２に記載の積層布帛。
【請求項４】
前記機能性布帛が、マイクロファイバーを５０体積％以上含む、請求項２又は３に記載の積層布帛。
【請求項５】
前記マイクロファイバーが、０．１〜０．５ｄｔｅｘの繊度を有する、請求項４に記載の積層布帛。
【請求項６】
前記ループ状係合子の高さが１．５〜４ｍｍで、かつ前記フック状係合子の高さより０．１〜２．０ｍｍ高く設けられてなる、請求項１〜５の何れかに記載の積層布帛。
【請求項７】
前記フック状係合子がモノフィラメント糸からなり、前記ループ状係合子がマルチフィラメント糸からなる、請求項１〜６の何れかに記載の積層布帛。
【請求項８】
前記ループ状係合子が、前記同一平面に、全係合子数に対して４０〜６０％の比率で設けられてなる、請求項１〜７の何れかに記載の積層布帛。
【発明の詳細な説明】
【技術分野】
【０００１】
本発明は、積層布帛に関する。
【背景技術】
【０００２】
食事や洗面に使用する容器は、衛生上の観点から使用後速やかに乾燥させることが好ましい。
しかし、日常的に使用頻度の高い容器は、使用後、水滴の付着した状態で、布巾やタオル等の布帛上に載せて放置されることも多い。
【０００３】
布巾やタオルの用途に適した積層布帛として、疎水性高分子化合物からなり、連通孔を有する多孔シートの両面に起毛されたセルロース繊維を主成分とした布帛の起毛面を外側に配することで、吸湿性および吸水性と共に吸水した水分の離脱性を備えた構成が開示されている（特許文献１）。
【０００４】
しかし、特許文献１の積層布帛を用いた場合でも、積層布帛上に水滴の付着したグラスを伏しておくと、図５のように、グラス内部に水蒸気が滞留し、速やかな乾燥の妨げとなる。
なお、使用後の容器を自然乾燥する際に使用する用具として、水切り籠（特許文献２等）が知られているが、水切り籠は複数の容器を一度に保持すべく所定の形状を有するため、嵩張るという欠点がある。
【先行技術文献】
【特許文献】
【０００５】
【特許文献１】特開平２−８８２２８号公報
【特許文献２】特開２００９−１０１０２６号公報
【発明の概要】
【発明が解決しようとする課題】
【０００６】
本発明はこのような事情に鑑みてなされたものであり、容器全体を速やかに乾燥させる用途に使用できる積層布帛の提供を目的とする。
【課題を解決するための手段】
【０００７】
本発明者らは、鋭意検討の結果、所定の面状ファスナを用いて積層布帛を構成することで、上記の課題を解決できることを見出した。本発明はかかる知見に基づいて完成した。
【０００８】
本発明は、以下の［１］〜［８］を提供する。
［１］  基布の同一平面にフック状係合子とループ状係合子が混在して設けられた面状ファスナからなる面ファスナ層と、前記基布の前記同一平面の裏面側に積層した布帛からなる布帛層を有する、積層布帛。
［２］  前記布帛が機能性布帛である、［１］に記載の積層布帛。
［３］  前記機能性布帛が、吸湿、撥水、抗菌、防カビの少なくとも何れかの機能を有する、［２］に記載の積層布帛。
［４］  前記機能性布帛が、マイクロファイバーを５０体積％以上含む、［２］又は［３］に記載の積層布帛。
［５］  前記マイクロファイバーが、０．１〜０．５ｄｔｅｘの繊度を有する、［４］に記載の積層布帛。
［６］  前記ループ状係合子の高さが１．５〜４ｍｍで、かつ前記フック状係合子の高さより０．１〜２．０ｍｍ高く設けられてなる、［１］〜［５］の何れかに記載の積層布帛。
［７］  前記フック状係合子がモノフィラメント糸からなり、前記ループ状係合子がマルチフィラメント糸からなる、［１］〜［６］の何れかに記載の積層布帛。
［８］  前記ループ状係合子が、前記同一平面に、全係合子数に対して４０〜６０％の比率で設けられてなる、［１］〜［７］の何れかに記載の積層布帛。
【発明の効果】
【０００９】
本発明の積層布帛では、布帛層を表面にして置き、表面側から所望の箇所をつまみ上げながら裏面の面状ファスナのフック状係合子とループ状係合子を係合させることで、所定の強度を備えた凸部を形成することができる。
本発明の用途は特に限定されないが、例えば、所定の強度を備えた凸部を利用して、所定の重量を有する容器等を、所定の傾斜角度を持たせて保持することができる。この用途によれば、水切り籠という嵩張る用具を用いることなく、容器全体を速やかに乾燥させることができる。
【図面の簡単な説明】
【００１０】
【図１】本発明の一実施形態における積層布帛の斜視図である。
【図２】本発明の一実施形態における積層布帛に凸部を形成する方法を説明する側面図である。
【図３】本発明の一実施形態における積層布帛に凸部を形成し、凸部に容器を立てかけた状態を説明する側面図である。
【図４】本発明の一実施形態における積層布帛の使用形態の説明図である。
【図５】従来技術の説明図である。
【発明を実施するための形態】
【００１１】
以下、本発明を詳細に説明するが、本発明は下記の実施形態に限定されるものではない。
【００１２】
＜積層布帛＞
図１に示すように、本発明に係る積層布帛１は、面ファスナ層２と、布帛層３を有する。
面ファスナ層２は、基布４１の同一平面にフック状係合子４２とループ状係合子４３が混在して設けられた面状ファスナ４からなる。
布帛層３は、面状ファスナ４の基布４１においてフック状係合子４２とループ状係合子４３を設けていない面側（以下、裏面側ともいう）に積層した布帛５からなる。
【００１３】
図２に示すように、布帛層３を表面にして置き、表面側から所望の箇所をつまみ上げながら裏面の面状ファスナ４のフック状係合子４２とループ状係合子４３を係合させることで、凸部６を形成することができる。
凸部６には、例えば、図３に示すように、容器７の一部を立てかけ、容器７に所定の傾斜角度（θ）を持たせて置くことができる。
【００１４】
積層布帛１の形状は特に限定されないが、本実施形態では、布帛層３を構成する布帛５が、食事や洗面に使用する容器を置く用途に使用される布巾やタオル等と同一の形状を有している。
【００１５】
面状ファスナ４の形態及び積層箇所も特に限定されないが、本実施形態では、布帛５と同一形状の面状ファスナ４を、布帛５の片面の全面に積層している。
面状ファスナ４は、積層布帛の用途に応じて布帛５の特定の箇所を選択して積層することもできるが、面状ファスナ４は、布帛５の片面の２０％以上に積層することが好ましく、６０％以上に積層することがより好ましく、８０％以上に積層することが更に好ましく、９０％以上に積層することが最も好ましい。
面状ファスナ４を、布帛５の片面の２０％以上に積層することで、凸部の形状や形成箇所に関し、自由度を高めることができる。
【００１６】
本実施形態では、布帛５と面状ファスナ４は、接着剤層を介して接着しているが、布帛５と面状ファスナ４を縫製することもできる。
【００１７】
＜面ファスナ層２＞
面状ファスナ４として、「マジックテープ（登録商標）」や「ベルクロ（登録商標）」の商標名で知られる面状ファスナ、または樹脂からなるプラスチック製成形面状ファスナを用いることができる。
【００１８】
前記ループ状係合子４３の高さは、１．５〜４ｍｍであることが好ましく、２〜３ｍｍであることがより好ましい。
ループ状係合子４３の高さを１．５ｍｍ以上確保することで、フック状係合子４２との係合を確実に行うことができる。
ループ状係合子４３の高さを４ｍｍ以下にすることで、フック状係合子４２との係合解除をスムーズに行うことができる。
ループ状係合子４３の高さを２〜３ｍｍにすることで、フック状係合子との係合力を最適な状態で保持することができる。
【００１９】
前記ループ状係合子４３の高さは、前記フック状係合子４２の高さより０．１〜２．０ｍｍ高く設けられてなることが好ましく、０．５〜２．０ｍｍ高く設けられてなることがより好ましい。
前記ループ状係合子４３の高さを、前記フック状係合子４２の高さより０．１ｍｍ以上高くすることで、面状ファスナ４の裏面側に良好な触感を付与することができる。
前記ループ状係合子４３の高さを、前記フック状係合子４２の高さより２．０ｍｍ以下の範囲で高くすることで、面状ファスナ４同士を係合させる際に、相対するループ状係合子４３同士が反発して係合の妨げとなることを回避することができる。
【００２０】
ループ状係合子４３およびフック状係合子４２は、通常ナイロン、ポリエステル、ポリプロピレン等の熱可塑性重合体からなる合成繊維で構成することが好ましい。
フック状係合子４２は、太い合成繊維製のモノフィラメント糸からなることが好ましい。フック状係合子４２をモノフィラメント糸で構成することにより、軽い力ではフック状の形状が伸展されない、いわゆるフック形状保持性と剛直性を付与することができる。
【００２１】
ループ状係合子４３は、５〜１５本のフィラメントからなり、繊維太さ１５０〜３００ｄｔｅｘであるマルチフィラメント糸で構成することが好ましく、７〜１２本のフィラメントからなり、繊維太さが１６０〜２８０ｄｔｅｘあるマルチフィラメント糸で構成することがより好ましい。
【００２２】
ループ状係合子４３およびフック状係合子４２は、一つまたは複数おきに千鳥状あるいは一列または複数列おきに列状に配置されることが好ましい。
ループ状係合子４３およびフック状係合子４２は、数または列は必ずしも同数でなくても良いが、係合力を良好に維持する観点から、ループ状係合子４３の比率は、同一平面にあるループ状係合子４３とフック状係合子４２の全係合子数に対して、４０〜６０％であることが好ましい。
【００２３】
＜布帛層３＞
布帛５は、吸湿、撥水、抗菌、防カビ等の機能を付与した機能性布帛であることが好ましい。
機能性布帛は、各種の機能を有する粒子（機能性粒子）を布材に添着させてなるものや、各種の機能を有する繊維で構成したものを用いることができる。
【００２４】
本発明の積層布帛を、容器の乾燥の用途に用いる場合には、布帛５は、吸水性に優れるマイクロファイバーを含むことが好ましい。マイクロファイバーは基本的には繊維太さが０．１〜０．５ｄｔｅｘの繊維をいい、通常繊維は基本的に繊維太さが１．０〜６ｄｔｅｘの繊維をいう。
容器の乾燥の用途に用いる場合には、布帛５は、マイクロファイバーを５０〜９０体積％含むことが好ましく、マイクロファイバーを８０〜９０体積％含むことが好ましい。
マイクロファイバーを５０体積％以上含むことで、優れた吸水性を備えることができる。
マイクロファイバーは、吸水性に優れる一方、滑り性が悪いという特性もあり、滑り性の悪さが容器を傷める原因になることもある。布帛５に通常繊維を２０体積％程度含ませ、マイクロファイバーと通常繊維との混繊維（混紡）とすることで、容器の傷つきを防止することができる。
【００２５】
本実施形態では、布帛層３を前記裏面に直接積層しているが、前記裏面と布帛層との間に中間層を設けることもできる。例えば、布帛層３を、疎水性繊維からなる布帛で構成し、中間層を、親水性繊維からなる布帛で構成することもできる。
【００２６】
＜使用方法＞
図４には、積層布帛１を、食器用の乾燥マットとして使用した例を示している。
食器用容器７のタイプや数に応じて、適材最適な箇所に凸部６を形成して使用することができる。使用後は、面状ファスナ４同士の係合を解除して凸部６を無くしたフラット状態で収納することができる。収納時には、筒状に丸めたり、折り畳むこともできる。
【実施例】
【００２７】
以下、実施例により本発明を具体的に説明するが、本発明はこれらの実施例により何ら制限されない。
【００２８】
（実施例１）
マイクロファイバークロス（３０ｃｍ×３０ｃｍ）の裏面全面に、製編織された基布の裏面の同一面上にフック状係合子とループ状係合子が混在して設けられた「マジックテープ（登録商標）」を、接着剤を用いて貼付し、正方形状の積層布帛Ａを作成した。
正方形の２本の対角線のうちの１本に沿って、高さ２ｃｍの凸部６を形成した。
凸部６に、容量２００ml、重量１４６ｇ、最大径６４ｍｍ×口径６４ｍｍ×高さ１００ｍｍのグラスを、２０°の傾斜角度（θ）を持たせて立てかけた。
１０分、１時間、２４時間経過後に、傾斜角度（θ）を測定した結果を下記表１に示す。
【００２９】
（実施例２）
マイクロファイバークロス（３０ｃｍ×３０ｃｍ）の裏面の外周部分に、前記「マジックテープ（登録商標）」を、接着剤を用いて貼付し、ロ字状（５ｃｍ幅）の面ファスナ層を有する積層布帛Ｂを作成した。
正方形の２本の対角線のうちの１本に沿って、高さ２ｃｍの凸部６を形成した。
凸部６に、容量２００ml、重量１４６ｇ、最大径６４ｍｍ×口径６４ｍｍ×高さ１００ｍｍのグラスを、２０°の傾斜角度（θ）を持たせて立てかけた。
１０分、１時間、２４時間経過後に、傾斜角度（θ）を測定した結果を下記表１に示す。
【００３０】
（実施例３）
マイクロファイバークロス（３０ｃｍ×３０ｃｍ）の対角線を含むように、前記「マジックテープ（登録商標）」を、接着剤を用いて貼付し、Ｘ字状（５ｃｍ幅）の面ファスナ層を有する正方形状の積層布帛Ｃを作成した。
正方形の２本の対角線のうちの１本に沿って、高さ２ｃｍの凸部６を形成した。
凸部６に、容量２００ml、重量１４６ｇ、最大径６４ｍｍ×口径６４ｍｍ×高さ１００ｍｍのグラスを、２０°の傾斜角度（θ）を持たせて立てかけた。
１０分、１時間、２４時間経過後に、傾斜角度（θ）を測定した結果を下記表１に示す。
【００３１】
（比較例１）
マイクロファイバークロス（３０ｃｍ×３０ｃｍ）の裏面全面に、フック状係合子を有する面状ファスナ（幅５ｃｍ×長さ３０ｃｍ）とループ状係合子を有する面状ファスナ（幅５ｃｍ×長さ３０ｃｍ）を交互に貼付し、正方形状の積層布帛Ｄを作成した。
正方形の２本の対角線のうちの１本に沿って、高さ２ｃｍの凸部６の形成を試みた結果、ループ状係合子とフック状係合子が接する部分では凸部を形成できたが、ループ状係合子同士、またはフック状係合子同士が接する部分では、凸部が形成できなかった。
【００３２】
（比較例２）
マイクロファイバークロス（３０ｃｍ×３０ｃｍ）のみからなる、正方形状の積層布帛Ｅを用意した。
正方形の２本の対角線のうちの１本に沿って、高さ２ｃｍの凸部６の形成を試みたが、形成できなかった。
【００３３】
【表１】
2020168797.tif 000003
【００３４】
表１に示すように、本発明の積層布帛は、所定の重量を有する容器を立てかけて置くことができ、所定期間その形状を保持することができる。
【産業上の利用可能性】
【００３５】
本発明の積層布帛は、容器を立てかけて置く用途に特に好適に用いることができる。
本発明の積層布帛は、軽量でコンパクトに折り畳むこともできるため、布帛５をパイル地で構成したものをハンカチとして常時持ち歩き、外出先でカップホルダーや、つり革用の持ち手カバー、鞄整理用のバッグ・イン・バッグなどの用途に用いることもできる。
【符号の説明】
【００３６】
１    積層布帛
２    面ファスナ層
３    布帛層
４    面状ファスナ
４１  基布
４２  フック状係合子
４３  ループ状係合子
５  布帛
６  凸部
７  容器
【図１】
2020168797.tif 000004
【図２】
2020168797.tif 000005
【図３】
2020168797.tif 000006
【図４】
2020168797.tif 000007
【図５】
2020168797.tif 000008